(57)【特許請求の範囲】
【請求項１】
少なくとも１つのプロセッサ、及びコンピュータプログラムコードを含む少なくとも１つのメモリを備えた装置において、少なくとも１つのプロセッサは、少なくとも１つのメモリ及びコンピュータプログラムコードとで、装置が、少なくとも、
セルのシステム情報が更新されるかどうか無線ネットワークにおけるベースステーションによって監視し；
前記システム情報が更新される場合には前記システム情報の更新について管理エンティティに前記ベースステーションによって通知し；
ページングメッセージによりターミナルをページングする要求が受け取られるかどうか前記ベースステーションによって監視し；
前記要求が受け取られる場合には前記ページングメッセージでターミナルを前記ベースステーションによってページングする；
ようにさせるよう構成され、前記ページングメッセージは更新の指示を含むものである、装置。
【請求項２】
前記少なくとも１つのプロセッサは、少なくとも１つのメモリ及びコンピュータプログラムコードとで、装置が、更に、
前記システム情報の更新がターミナルに関連したものであるかどうか評価し；及び
前記システム情報の更新がターミナルに関連したものでない場合には、
更新について管理エンティティに通知することの禁止、及び
ページングメッセージでターミナルをページングすることの禁止、
のうちの少なくとも一方を遂行する；
ようにさせるよう構成された、請求項１に記載の装置。
【請求項３】
前記評価は、
ターミナルがスリープしていた間に前記システム情報の更新が生じたかどうかチェックし；及び
ターミナルがスリープしていない間に前記システム情報の更新が生じた場合には、前記システム情報の更新をターミナルに関連していないと評価する；
ことを含む、請求項２に記載の装置。
【請求項４】
前記少なくとも１つのプロセッサは、少なくとも１つのメモリ及びコンピュータプログラムコードとで、装置が、更に、
ターミナルをページングする前記要求が、ターミナルがスリープしていた期間を指示する期間情報を含むかどうかチェックする；
ようにさせるよう構成された、請求項１に記載の装置。
【請求項５】
前記管理エンティティは、
１つ以上のシステム情報ブロックのうちのどのシステム情報ブロックが更新されるかの通知、及び
１つ以上のバリュータグのうちのどのバリュータグが更新されるかの通知、
の少なくとも一方により更新について通知され、
前記システム情報は、１つ以上のシステム情報ブロックにより定義され、及び
１つ以上のバリュータグの各々は、１つ以上のシステム情報ブロックのうちの１つ以上に関連し、そして１つ以上のシステム情報ブロックの各１つが更新されるときに更新される、請求項１に記載の装置。
【請求項６】
前記少なくとも１つのプロセッサは、少なくとも１つのメモリ及びコンピュータプログラムコードとで、装置が、更に、
ターミナルをページングする前記要求が、システム情報の複数更新に関する指示をページングメッセージが含むという通知を含んでいるかどうか監視する、
ようにさせるよう構成され、
ページングメッセージが複数更新に関する指示を含むという通知を前記要求が含んでいる場合には、複数更新に関する指示を含むページングメッセージでターミナルがページングされる、請求項１に記載の装置。
【請求項７】
少なくとも１つのプロセッサ、及びコンピュータプログラムコードを含む少なくとも１つのメモリを備えた装置において、少なくとも１つのプロセッサは、少なくとも１つのメモリ及びコンピュータプログラムコードとで、装置が、少なくとも、
第１セルのシステム情報の更新に関する情報が受信されるかどうか監視し；
前記第１セルを含む１つ以上のセルのグループのうちの少なくとも１つのセルによりサービスを受けるものとしてターミナルが登録されるかどうかチェックし；
ターミナルがスリープの後に到達可能となるかどうかチェックし；
更新の情報が受信され、ターミナルがグループの少なくとも１つのセルによりサービスを受け、そしてターミナルが到達可能になる場合にページングメッセージによりターミナルをページングすることを要求する；
ようにさせるよう構成され、前記ページングメッセージは、更新に関する指示を含むものである、装置。
【請求項８】
前記少なくとも１つのプロセッサは、少なくとも１つのメモリ及びコンピュータプログラムコードとで、装置が、更に、
システム情報の更新がターミナルに関連したものであるかどうか評価し；
更新がターミナルに関連したものでない場合にはページングの要求を禁止する；
ようにさせるよう構成された、請求項７に記載の装置。
【請求項９】
ターミナルをページングする前記要求は、ターミナルがスリープした期間を指示する期間情報を含む、請求項７に記載の装置。
【請求項１０】
前記更新の情報は、
１つ以上のシステム情報ブロックのうちのどのシステム情報ブロックが更新されるかの情報、及び
１つ以上のバリュータグのうちのどのバリュータグが更新されるかの情報、
の少なくとも一方を含む、請求項７に記載の装置。
【請求項１１】
前記少なくとも１つのプロセッサは、少なくとも１つのメモリ及びコンピュータプログラムコードとで、装置が、更に、
受信情報がシステム情報の複数更新の情報を含むかどうかの監視、
を遂行するように構成され、
ターミナルをページングする前記要求は、受信情報が複数更新の情報を含む場合には前記ページングメッセージが複数更新の指示を含むという通知を含む、請求項７に記載の装置。
【請求項１２】
セルのシステム情報が更新されるかどうか無線ネットワークにおけるベースステーションによって監視し；
システム情報が更新される場合はシステム情報の更新について管理エンティティに前記ベースステーションによって通知し；
ページングメッセージによりターミナルをページングする要求が受け取られるかどうか前記ベースステーションによって監視し；
前記要求が受け取られる場合はページングメッセージでターミナルを前記ベースステーションによってページングする；ことを含み、前記ページングメッセージは更新の指示を含むものである、方法。
【請求項１３】
システム情報の更新がターミナルに関連したものであるかどうか評価し；及び
システム情報の更新がターミナルに関連したものでない場合には、
更新について管理エンティティに通知することの禁止、及び
ページングメッセージでターミナルをページングすることの禁止、
のうちの少なくとも一方を遂行する；
ことを更に含む、請求項１２に記載の方法。
【請求項１４】
前記評価は、
ターミナルがスリープしていた間にシステム情報の更新が生じたかどうかチェックし；及び
ターミナルがスリープしていない間にシステム情報の更新が生じた場合には、システム情報の更新をターミナルに関連していないと評価する；
ことを更に含む、請求項１３に記載の方法。
【請求項１５】
ターミナルをページングする前記要求が、ターミナルがスリープしていた期間を指示する期間情報を含むかどうかチェックすることを更に含む、請求項１２に記載の方法。
【請求項１６】
前記管理エンティティは、
１つ以上のシステム情報ブロックのうちのどのシステム情報ブロックが更新されるかの通知、及び
１つ以上のバリュータグのうちのどのバリュータグが更新されるかの通知、
の少なくとも一方により更新について通知され、
前記システム情報は、１つ以上のシステム情報ブロックにより定義され、及び
１つ以上のバリュータグの各々は、１つ以上のシステム情報ブロックのうちの１つ以上に関連し、１つ以上のシステム情報ブロックの各１つが更新されるときに更新される、
請求項１２に記載の方法。
【請求項１７】
ターミナルをページングする前記要求が、システム情報の複数更新に関する指示をページングメッセージが含むという通知を含んでいるかどうか監視することを更に含み、
ページングメッセージが複数更新に関する指示を含むという通知を前記要求が含んでいる場合には、複数更新に関する指示を含むページングメッセージでターミナルをページングする、請求項１２に記載の方法。
【請求項１８】
第１セルのシステム情報の更新に関する情報が受信されるかどうか無線ネットワークにおける管理エンティティによって監視し；
第１セルを含む１つ以上のセルのグループのうちの少なくとも１つのセルによりサービスを受けるものとしてターミナルが登録されるかどうか前記管理エンティティによってチェックし；
ターミナルがスリープの後に到達可能となるかどうか前記管理エンティティによってチェックし；
更新の情報が受信され、ターミナルがグループの少なくとも１つのセルによりサービスを受け、及びターミナルが到達可能になる場合にページングメッセージによりターミナルをページングするのを前記管理エンティティによって要求する；
ことを含み、前記ページングメッセージは、更新に関する指示を含むものである、方法。
【請求項１９】
前記システム情報の更新がターミナルに関連したものであるかどうか評価し；
更新がターミナルに関連したものでない場合に前記ページングの要求を禁止する；
ことを更に含む、請求項１８に記載の方法。
【請求項２０】
ターミナルをページングする前記要求は、ターミナルがスリープしていた期間を指示する期間情報を含む、請求項１８に記載の方法。
【請求項２１】
前記更新の情報は、
１つ以上のシステム情報ブロックのうちのどのシステム情報ブロックが更新されるかの情報、及び
１つ以上のバリュータグのうちのどのバリュータグが更新されるかの情報、
の少なくとも一方を含む、請求項１８に記載の方法。
【請求項２２】
受信情報がシステム情報の複数更新の情報を含むかどうか監視することを更に含み、
ターミナルをページングする前記要求は、受信情報が複数更新の情報を含む場合にページングメッセージが複数更新の指示を含むという通知を含む、請求項１８に記載の方法。
【発明の詳細な説明】
【技術分野】
【０００１】
本発明は、システム情報更新に関連した装置、方法及びコンピュータプログラム製品に関する。より詳細には、本発明は、ＭＭＥ支援型システム情報更新に関連した装置、方法及びコンピュータプログラム製品に関する。
【０００２】
略語
３Ｇ：第３世代
３ＧＰＰ：第３世代パートナーシッププロジェクト
５Ｇ：第５世代
ＢＣＣＨ：ブロードキャストコントロールチャンネル
ＢＣＨ：ブロードキャストチャンネル
ＣＭＡＳ：コマーシャルモバイルアラートサービス
ＤＲＸ：不連続受信
ｅＤＲＸ：拡張型ＤＲＸ
ｅＮＢ：進化型ノードＢ
ＥＡＢ：拡張型アクセスクラスバリング
ＥＴＷＳ：地震及び津波警報システム
Ｉ−ｅＤＲＸ：アイドル状態におけるＵＥのｅＤＲＸ
ＩＥ：情報要素
ＬＴＥ：長期進化
ＭＩＢ：マスター情報ブロック
ＭＴＣ：マシンタイプ通信
ＰＦ：ページングフレーム
ＰＯ：ページング機会
ＲＡＮ：無線アクセスネットワーク
Ｒｅｌ：リリース
ＲＲＣ：無線リソースコントロール
ＳＦＮ：システムフレームナンバー
ＳＩ：システム情報
ＳＩＢ：システム情報ブロック
ＴＳ：技術仕様書
ＵＥ：ユーザ装置
ＷＩ：ワークアイテム
【背景技術】
【０００３】
ＬＴＥシステム及びＬＴＥ−Ａシステムでは、システム情報が１つ以上のシステム情報ブロック（ＳＩＢ）及びマスター情報ブロック（ＭＩＢ）によって定義される。システム情報は、非アクセス層及びアクセス層関連情報の一方又は両方を含む。本出願の目的上、ＭＩＢは、特に記述がなくても、又は文脈から明確でなくても、特定種類のＳＩＢとして考慮される。
【０００４】
ＬＴＥシステム及びＬＴＥ−Ａシステムでは、ＭＩＢ及び１つのＳＩＢ（SystemInformationBlockType1、ＳＩＢ１とも称される）は、通常、所定の時点にＢＣＨを経てブロードキャストされる。SystemInformationBlockType1は、他のＳＩＢがブロードキャストされる時間についてＵＥに通知する。
【０００５】
ＬＴＥシステム及びＬＴＥ−Ａシステムでは、ＢＣＣＨ変更周期の概念がシステム情報（ＳＩ）の変化（更新）のために使用され、即ち、（ＥＴＷＳ、ＣＭＡＳ及びＥＡＢパラメータ以外の）ＳＩの変化だけが特定の無線フレームに生じる。ＢＣＣＨ変更周期の境界は、ＢＣＣＨ変更周期を構成する無線フレームの数をｍとすれば、ＳＦＮ  ｍｏｄ＝０であるところのＳＦＮ値により定義される［１］。
【０００６】
時間に伴うブロードキャストＳＩＢを示す概念が図１に示されている。ブロードキャストシステム情報（ＳＩ）は、図１に方形として示された多数のシステム情報ブロック（ＳＩＢ）で構成される。図１の簡単な表示において、ハッシュ型方形は、非ハッシュ型方形とは異なるＳＩＢを示す。ＢＣＣＨ変更周期（ｎ）において、ＵＥは、図１の例では、ＳＩの変化で、ハッシュ型方形のＳＩＢの変化について通知される。ＳＩの変化は、次のＢＣＣＨ変更周期（ｎ＋１）への境界において有効となり、即ち水平ハッシングへと変化する斜線ハッシングは、その特定ＳＩＢの変化を指示する。
【０００７】
ＳＩ変化表示には、次の２つの方法がある。
・ページングメッセージを使用して、ＲＲＣ＿ＩＤＬＥにあるＵＥに及びＲＲＣ＿ＣＯＮＮＥＣＴＥＤにあるＵＥに、システム情報変化について通知する。ＵＥがsystemInfoModicicationメッセージを含むページングメッセージを受信する場合には、システム情報が次のＢＣＣＨ変更周期境界で変化することが分かる。
・SystemInformationBlockType1は、ＳＩメッセージにおいて変化が生じるかどうか、即ちＳＩにおいて何らかの変化が生じるかどうか指示するバリュータグsystemInfoValueTagを含む。例えば、カバレージからリターンがあったときは、ＵＥは、systemInfoValueTagを使用して、その前に記憶されたＳＩメッセージが依然有効であるかどうか検証する。
【０００８】
ＵＥは、ＢＣＣＨ変更周期境界の後にSystemInformationBlockType1におけるsystemInfoValueTagをチェックするか、又は各ＢＣＣＨ変更周期においてページングが受け取られない場合にはＢＣＣＨ変更周期中にsystemInfoModification指示を少なくともmodificationPeriodCoeff回見出すよう試みることにより、記憶されたシステム情報が有効に保たれることを検証する。３ＧＰＰ  ＴＳ  ３６．３３１によれば、ＢＣＣＨ変更周期は、次のように計算される。
ＢＣＣＨ変更周期＝modificationPeriodCoeff*defaultPagingCycle
ここで、ＢＣＣＨ変更周期及びデフォールトページングサイクルは、無線フレームの数で表わされる。
【０００９】
一般的に、各ＢＣＣＨ変更周期中には、１つ以上のページング機会が生じる。
【００１０】
ＲＡＮ＃６７において、ＬＴＥの拡張ＤＲＸのためのリリース１３  ＲＡ改善についてのワークアイテムが、ＵＥ節電のためのＩＤＬＥ（ＲＲＣ＿ＩＤＬＥ）モード（“Ｉ−ｅＤＲＸ”とも称される）及びＣＯＮＮＥＣＴＥＤ（ＲＲＣ−ＣＯＮＮＥＣＴＥＤ）モードにおいてＵＥのＤＲＸを拡張することを目的として、合意された［２］。拡張ＤＲＸの長さは、ＲＲＣ＿ＣＯＮＮＥＣＴＥＤについて５．１２又は１０．２４秒であるが、ＲＲＣ＿ＩＤＬＥについては１０．２４秒を越えることがある。ＲＲＣ＿ＩＤＬＥについてのｅＤＲＸの最大値は、１０．２４秒の２５６倍である４３．６９分である。
【００１１】
拡張ＤＲＸの長さがＢＣＣＨ変更周期より著しく大きいときは、ＵＥがＳＩ変更通知についてのページングを見落とすことがあり、ｅＤＲＸ中のＳＩＢＩラップアラウンドにおいてｖａｌｕｅＴａｇ（systemInfoValueTag）の潜在的リスクがある。即ち、ｖａｌｕｅＴａｇは、ＳＩが変化するたびに、例えば、１だけインクリメントすることにより更新される数値である。ｖａｌｕｅＴａｇの最大値に到達すると、それが０にリセットされ、次いで、再びインクリメントされる。従って、ＳＩの最大数が変化した後に、ｖａｌｕｅＴａｇは、再び同じ値を有する（ラップアラウンド）。ｖａｌｕｅＴａｇは、５ビットで表わされ、０と３１との間の値を許す。
【００１２】
提案されたＳＩ更新のオプションは、次の通りである。
１）ＵＥは、Ｉ−ｅＤＲＸサイクル内で到達可能にならねばならない直前にＳＩＢ１においてsystemInfoValueTagをチェックする。以下に詳細を述べる。
−ケースａ）Ｉ−ｅＤＲＸがＢＣＣＨ変更周期より短い場合には、ＵＥは、レガシーとして振舞い、即ちページングを通して共通ＳＩＢに対してＳＩ変化通知に従う。
−ケースｂ）Ｉ−ｅＤＲＸがＢＣＣＨ変更周期より長い場合には、ＵＥは、そのページング機会（このＵＥがその特定のＰＯ／ＰＦにおいてページングされるときはタイムウインドウを指す）において到達可能となる直前にsystemInfoValueTagをチェックする。このケースは、ＵＥが、Ｉ−ｅＤＲＸにある間にページングメッセージで搬送されるsystemInfoModification通知を無視できることを意味する。
２）ＵＥは、Ｉ−ｅＤＲＸサイクルに一度ＳＩＢ１においてsystemInfoValueTagをチェックする。このオプションは、ＵＥが、Ｉ−ｅＤＲＸにある間にページングメッセージで搬送されるsystemInfoModification通知を無視できることを意味する。
３）ＵＥは、レガシーとして振舞い、即ちページングを通して共通ＳＩＢに対してＳＩ変化通知に従う。
４）ＵＥは、ｅＤＲＸが、ＳＩ  ｖａｌｕｅＴａｇ（ＳＩＢ１の５ビット情報）のラップアラウンドに対する最小時間である３２＊ＢＣＣＨ変更周期より長いときは、常にシステム情報を読み取る。さもなければ、ＵＥは、ｖａｌｕｅＴａｇ指示に依存する。
【００１３】
一般的に、ＵＥが、システム情報を、それがＳＩ変更で更新状態に依然保持されている間に読み取らねばならないケースを最小限にすることが意図される。
【００１４】
第１のオプションに伴う問題は、ｅＤＲＸの長さがＢＣＣＨ変更周期より長くなるたびにＵＥが少なくともＳＩＢ１を読み取らねばならなくなるので、ＵＥの振舞いが最適ではないことである。
【００１５】
第２のオプションは、ｅＤＲＸからウェイクアップするときＵＥが常にＳＩＢ１を読み取るように強制する。これは、ｅＤＲＸがＵＥのアクティビティ、ひいては、電力消費を最小にすることを意味するので望ましくない。
【００１６】
オプション３は、ｅＤＲＸサイクルのスリープ時間中に１つ以上のページングメッセージと共に送信されるＳＩ変化通知を見落とすという問題がある。ウェイクアップ時に、ＵＥは、ｖａｌｕｅＴａｇを除きＳＩの変化についての指示に気付かないか又はそれが与えられない（これは、それ自体問題であり、即ちラップアラウンドとなる）。
【００１７】
第４のオプションは、実現可能な解決策であるが、構成されたＢＣＣＨ変更周期が短く且つｅＤＲＸ周期がその周期を越えるときには、ＳＩＢの読み取りをトリガーする時間が不必要に短くなる。従って、このオプションは、考えられる最小の電力消費を生じない。
【００１８】
実際の具現化及びネットワークの運営において、システム情報は、あまり頻繁に変化せず、従って、ラップアラウンドが生じたケースだけ全てのＳＩＢを読み取ることで多量の電力が消費される。ＳＩＢが変化しないときその読み取りを回避することが有利である。
【００１９】
参照文献
［１］3GPP TS 36.331: Radio Resource Control (RRC) Protocol Specification
［２］3GPP RP-150493 RAN enhancements for extended DRX in LTE
【発明の概要】
【発明が解決しようとする課題】
【００２０】
本発明の目的は、従来技術を改善することである。
【課題を解決するための手段】
【００２１】
本発明の第１の観点によれば、少なくとも１つのプロセッサ、及びコンピュータプログラムコードを含む少なくとも１つのメモリを備えた装置において、少なくとも１つのプロセッサは、少なくとも１つのメモリ及びコンピュータプログラムコードとで、装置が、少なくとも、セルのシステム情報が更新されるかどうか監視し；システム情報が更新される場合にはシステム情報の更新について管理エンティティに通知し；ページングメッセージによりターミナルをページングする要求が受け取られるかどうか監視し；その要求が受け取られる場合にはページングメッセージでターミナルをページングする；ようにさせるよう構成され、ページングメッセージは更新の指示を含むものである、装置が提供される。
【００２２】
前記装置は、更に、システム情報の更新がターミナルに関連したものであるかどうか評価し；及びシステム情報の更新がターミナルに関連したものでない場合には、更新について管理エンティティに通知することの禁止、及びページングメッセージでターミナルをページングすることの禁止、のうちの少なくとも一方を遂行する。
【００２３】
前記装置は、更に、ターミナルをページングする前記要求が、ターミナルがスリープしていた期間を指示する期間情報を含むかどうかのチェックを遂行する。
【００２４】
前記評価は、ターミナルがスリープしていた間にシステム情報の更新が生じたかどうかチェックし；及びターミナルがスリープしていない間にシステム情報の更新が生じた場合には、システム情報の更新をターミナルに関連していないと評価する；ことを含む。
【００２５】
前記管理エンティティは、１つ以上のシステム情報ブロックのうちのどのシステム情報ブロックが更新されるかの通知、及び１つ以上のバリュータグ(value tag)のうちのどのバリュータグが更新されるかの通知の少なくとも一方により更新について通知され、ここで、システム情報は、１つ以上のシステム情報ブロックにより定義され、そして１つ以上のバリュータグの各々は、１つ以上のシステム情報ブロックのうちの１つ以上に関連し、そして１つ以上のシステム情報ブロックの各１つが更新されるときに更新される。
【００２６】
前記装置は、更に、ターミナルをページングする前記要求が、システム情報の複数更新に関する指示をページングメッセージが含むという通知を含んでいるかどうか監視し、ここで、ページングメッセージが複数更新に関する指示を含むという通知を前記要求が含んでいる場合には、複数更新に関する指示を含むページングメッセージでターミナルがページングされる。
【００２７】
本発明の第２の観点によれば、少なくとも１つのプロセッサ、及びコンピュータプログラムコードを含む少なくとも１つのメモリを備えた装置において、少なくとも１つのプロセッサは、少なくとも１つのメモリ及びコンピュータプログラムコードとで、装置が、少なくとも、第１セルのシステム情報の更新に関する情報が受信されるかどうか監視し；第１セルを含む１つ以上のセルのグループのうちの少なくとも１つのセルによりサービスを受けるものとしてターミナルが登録されるかどうかチェックし；ターミナルがスリープの後に到達可能となるかどうかチェックし；更新の情報が受信され、ターミナルがグループの少なくとも１つのセルによりサービスを受け、そしてターミナルが到達可能になる場合にページングメッセージによりターミナルをページングすることを要求する；ようにさせるよう構成され、ページングメッセージは、更新に関する指示を含むものである、装置が提供される。
【００２８】
前記装置は、更に、システム情報の更新がターミナルに関連したものであるかどうか評価し；更新がターミナルに関連したものでない場合にはページングの要求を禁止する。
【００２９】
ターミナルをページングする前記要求は、ターミナルがスリープした期間を示す期間情報を含む。
【００３０】
更新の情報は、１つ以上のシステム情報ブロックのうちのどのシステム情報ブロックが更新されるかの情報、及び１つ以上のバリュータグのうちのどのバリュータグが更新されるかの情報の少なくとも一方を含む。
【００３１】
前記装置は、更に、受信情報がシステム情報の複数更新の情報を含むかどうかの監視を遂行し、ターミナルをページングする前記要求は、受信情報が複数更新の情報を含む場合にはページングメッセージが複数更新の指示を含むという通知を含む。
【００３２】
本発明の第３の観点によれば、セルのシステム情報が更新されるかどうか監視するための第１の監視手段；システム情報が更新される場合にはシステム情報の更新について管理エンティティに通知するための通知手段；ページングメッセージによりターミナルをページングする要求が受け取られるかどうか監視するための第２の監視手段；その要求が受け取られる場合にはページングメッセージでターミナルをページングするためのページング手段；を備え、前記ページングメッセージは更新の指示を含むものである、装置が提供される。
【００３３】
前記装置は、更に、システム情報の更新がターミナルに関連したものであるかどうか評価するための評価手段；及びシステム情報の更新がターミナルに関連したものでない場合には、更新について管理エンティティに通知することの禁止、及びページングメッセージでターミナルをページングすることの禁止、のうちの少なくとも一方を遂行する禁止手段；を備えている。
【００３４】
前記装置は、更に、ターミナルをページングする前記要求が、ターミナルがスリープしていた期間を指示する期間情報を含むかどうかのチェックを遂行するためのチェック手段を備えている。
【００３５】
前記評価手段による評価は、ターミナルがスリープしていた間にシステム情報の更新が生じたかどうかチェックし；及びターミナルがスリープしていない間にシステム情報の更新が生じた場合には、システム情報の更新をターミナルに関連していないと評価する；ことを含む。
【００３６】
前記管理エンティティは、１つ以上のシステム情報ブロックのうちのどのシステム情報ブロックが更新されるかの通知、及び１つ以上のバリュータグのうちのどのバリュータグが更新されるかの通知の少なくとも一方により更新について通知され、ここで、システム情報は、１つ以上のシステム情報ブロックにより定義され、そして１つ以上のバリュータグの各々は、１つ以上のシステム情報ブロックのうちの１つ以上に関連し、及び１つ以上のシステム情報ブロックの各１つが更新されるときに更新される。
【００３７】
前記装置は、更に、ターミナルをページングする前記要求が、システム情報の複数更新に関する指示をページングメッセージが含むという通知を含んでいるかどうか監視するための監視手段を備え、ここで、ページングメッセージが複数更新に関する指示を含むという通知を前記要求が含んでいる場合には、複数更新に関する指示を含むページングメッセージでターミナルがページングされる。
【００３８】
本発明の第４の観点によれば、第１セルのシステム情報の更新に関する情報が受信されるかどうか監視するための監視手段；第１セルを含む１つ以上のセルのグループのうちの少なくとも１つのセルによりサービスを受けるものとしてターミナルが登録されるかどうかチェックするための第１のチェック手段；ターミナルがスリープの後に到達可能となるかどうかチェックするための第２のチェック手段；更新の情報が受信され、ターミナルがグループの少なくとも１つのセルによりサービスを受け、そしてターミナルが到達可能になる場合にページングメッセージによりターミナルをページングするのを要求するための要求手段；を備え、ページングメッセージは、更新に関する指示を含むものである、装置が提供される。
【００３９】
前記装置は、更に、システム情報の更新がターミナルに関連したものであるかどうか評価するための評価手段；更新がターミナルに関連したものでない場合にページングの要求を禁止するための禁止手段を備えている。
【００４０】
ターミナルをページングする前記要求は、ターミナルがスリープしていた期間を指示する期間情報を含む。
【００４１】
前記更新の情報は、１つ以上のシステム情報ブロックのうちのどのシステム情報ブロックが更新されるかの情報、及び１つ以上のバリュータグのうちのどのバリュータグが更新されるかの情報の少なくとも一方を含む。
【００４２】
前記装置は、更に、受信情報がシステム情報の複数更新の情報を含むかどうか監視するための監視手段を備え、ターミナルをページングする前記要求は、受信情報が複数更新の情報を含む場合にはページングメッセージが複数更新の指示を含むという通知を含む。
【００４３】
本発明の第５の観点によれば、セルのシステム情報が更新されるかどうか監視するように構成された第１の監視回路；システム情報が更新される場合にはシステム情報の更新について管理エンティティに通知するように構成された通知回路；ページングメッセージによりターミナルをページングする要求が受け取られるかどうか監視するように構成された第２の監視回路；その要求が受け取られる場合にはページングメッセージでターミナルをページングするように構成されたページング回路；を備え、前記ページングメッセージは更新の指示を含むものである、装置が提供される。
【００４４】
前記装置は、更に、システム情報の更新がターミナルに関連したものであるかどうか評価するように構成された評価回路；及びシステム情報の更新がターミナルに関連したものでない場合には、更新について管理エンティティに通知することの禁止、及びページングメッセージでターミナルをページングすることの禁止、のうちの少なくとも一方を遂行するように構成された禁止回路；を備えている。
【００４５】
前記装置は、更に、ターミナルをページングする前記要求が、ターミナルがスリープしていた期間を指示する期間情報を含むかどうかチェックするよう構成されたチェック回路を備えている。
【００４６】
前記評価手段による評価は、ターミナルがスリープしていた間にシステム情報の更新が生じたかどうかチェックし；及びターミナルがスリープしていない間にシステム情報の更新が生じた場合には、システム情報の更新をターミナルに関連していないと評価する；ことを含む。
【００４７】
前記管理エンティティは、１つ以上のシステム情報ブロックのうちのどのシステム情報ブロックが更新されるかの通知、及び１つ以上のバリュータグのうちのどのバリュータグが更新されるかの通知の少なくとも一方により更新について通知され、ここで、システム情報は、１つ以上のシステム情報ブロックにより定義され、そして１つ以上のバリュータグの各々は、１つ以上のシステム情報ブロックのうちの１つ以上に関連し、及び１つ以上のシステム情報ブロックの各１つが更新されるときに更新される。
【００４８】
前記装置は、更に、ターミナルをページングする前記要求が、システム情報の複数更新に関する指示をページングメッセージが含むという通知を含んでいるかどうか監視するように構成された監視回路を備え、ここで、ページングメッセージが複数更新に関する指示を含むという通知を前記要求が含んでいる場合には、複数更新に関する指示を含むページングメッセージでターミナルがページングされる。
【００４９】
本発明の第６の観点によれば、第１セルのシステム情報の更新に関する情報が受信されるかどうか監視するように構成された監視回路；第１セルを含む１つ以上のセルのグループのうちの少なくとも１つのセルによりサービスを受けるものとしてターミナルが登録されるかどうかチェックするように構成された第１のチェック回路；ターミナルがスリープの後に到達可能となるかどうかチェックするように構成された第２のチェック回路；更新の情報が受信され、ターミナルがグループの少なくとも１つのセルによりサービスを受け、及びターミナルが到達可能になる場合にページングメッセージによりターミナルをページングするのを要求するように構成された要求回路；を備え、ページングメッセージは、更新に関する指示を含むものである、装置が提供される。
【００５０】
前記装置は、更に、システム情報の更新がターミナルに関連したものであるかどうか評価するように構成された評価回路；更新がターミナルに関連したものでない場合にページングの要求を禁止するように構成された禁止回路を備えている。
【００５１】
ターミナルをページングする前記要求は、ターミナルがスリープしていた期間を指示する期間情報を含む。
【００５２】
前記更新の情報は、１つ以上のシステム情報ブロックのうちのどのシステム情報ブロックが更新されるかの情報、及び１つ以上のバリュータグのうちのどのバリュータグが更新されるかの情報の少なくとも一方を含む。
【００５３】
前記装置は、更に、受信情報がシステム情報の複数更新の情報を含むかどうか監視するように構成された監視回路を備え、ターミナルをページングする前記要求は、受信情報が複数更新の情報を含む場合にはページングメッセージが複数更新の指示を含むという通知を含む。
【００５４】
本発明の第７の観点によれば、セルのシステム情報が更新されるかどうか監視し；システム情報が更新される場合にはシステム情報の更新について管理エンティティに通知し；ページングメッセージによりターミナルをページングする要求が受け取られるかどうか監視し；その要求が受け取られる場合はページングメッセージでターミナルをページングする；ことを含み、前記ページングメッセージは更新の指示を含むものである、方法が提供される。
【００５５】
前記方法は、更に、システム情報の更新がターミナルに関連したものであるかどうか評価し；及びシステム情報の更新がターミナルに関連したものでない場合には、更新について管理エンティティに通知することの禁止、及びページングメッセージでターミナルをページングすることの禁止、のうちの少なくとも一方を遂行する；ことを含む。
【００５６】
前記方法は、更に、ターミナルをページングする前記要求が、ターミナルがスリープしていた期間を指示する期間情報を含むかどうかチェックすることを含む。
【００５７】
前記評価は、ターミナルがスリープしていた間にシステム情報の更新が生じたかどうかチェックし；及びターミナルがスリープしていない間にシステム情報の更新が生じた場合には、システム情報の更新をターミナルに関連していないと評価する；ことを更に含む。
【００５８】
前記管理エンティティは、１つ以上のシステム情報ブロックのうちのどのシステム情報ブロックが更新されるかの通知、及び１つ以上のバリュータグのうちのどのバリュータグが更新されるかの通知の少なくとも一方により更新について通知され、システム情報は、１つ以上のシステム情報ブロックにより定義され、そして１つ以上のバリュータグの各々は、１つ以上のシステム情報ブロックのうちの１つ以上に関連し、及び１つ以上のシステム情報ブロックの各１つが更新されるときに更新される。
【００５９】
前記方法は、更に、ターミナルをページングする前記要求が、システム情報の複数更新に関する指示をページングメッセージが含むという通知を含んでいるかどうか監視することを更に含み、ページングメッセージが複数更新に関する指示を含むという通知を前記要求が含んでいる場合には、複数更新に関する指示を含むページングメッセージでターミナルをページングする。
【００６０】
本発明の第８の観点によれば、第１セルのシステム情報の更新に関する情報が受信されるかどうか監視し；第１セルを含む１つ以上のセルのグループのうちの少なくとも１つのセルによりサービスを受けるものとしてターミナルが登録されるかどうかチェックし；ターミナルがスリープの後に到達可能となるかどうかチェックし；更新の情報が受信され、ターミナルがグループの少なくとも１つのセルによりサービスを受け、及びターミナルが到達可能になる場合にページングメッセージによりターミナルをページングするのを要求する；ことを含み、ページングメッセージは、更新に関する指示を含むものである、方法が提供される。
【００６１】
前記方法は、更に、システム情報の更新がターミナルに関連したものであるかどうか評価し；更新がターミナルに関連したものでない場合にページングの要求を禁止する；ことを含む。
【００６２】
ターミナルをページングする前記要求は、ターミナルがスリープしていた期間を指示する期間情報を含む。
【００６３】
前記更新の情報は、１つ以上のシステム情報ブロックのうちのどのシステム情報ブロックが更新されるかの情報、及び１つ以上のバリュータグのうちのどのバリュータグが更新されるかの情報の少なくとも一方を含む。
【００６４】
前記方法は、更に、受信情報がシステム情報の複数更新の情報を含むかどうか監視することを含み、ターミナルをページングする前記要求は、受信情報が複数更新の情報を含む場合にページングメッセージが複数更新の指示を含むという通知を含む。
【００６５】
第７及び第８の各観点による方法は、システム情報を更新する方法である。
【００６６】
本発明の第９の観点によれば、装置において実行されたときに、第７及び第８の観点のいずれかによる方法を装置に実行させるように構成されたインストラクションのセットを含むコンピュータプログラム製品が提供される。このコンピュータプログラム製品は、コンピュータ読み取り可能な媒体として実施されるか、又はコンピュータへ直接ロード可能である。
【００６７】
本発明の幾つかの規範的実施形態によれば、次の技術的効果の少なくとも１つが提供される。
−ＵＥの振舞いは、ｅＤＲＸでも基本的にレガシー振舞いである（上位互換性）。
−レガシーＵＥに影響を及ぼさず、即ちＢＣＣＨ変更周期は、ｅＤＲＸでのＵＥ振舞いに否定的な影響を及ぼさずにレガシーオペレーションに対して最適化することができる。
−不要なＳＩＢ読み取りなしに、考えられる最小のＵＥアクティビティ（即ち、最大のＵＥ節電）に到達することができる。
−ｖａｌｕｅＴａｇ及びその考えられるラップアラウンドに伴う問題はない。
【００６８】
前記変更は、どれも、代替物を除外すると明確に指示されない限り、それらが参照する各観点に単独で又は組み合わせて適用することができる。
【００６９】
更なる詳細、特徴、目的、及び効果は、添付図面に関連した本発明の規範的実施形態の以下の詳細な説明から明らかとなろう。
【図面の簡単な説明】
【００７０】
【図１】ＢＣＣＨ変更周期の概念を示す。
【図２】本発明の規範的実施形態による装置を示す。
【図３】本発明の規範的実施形態による方法を示す。
【図４】本発明の規範的実施形態による装置を示す。
【図５】本発明の規範的実施形態による方法を示す。
【図６】本発明の規範的実施形態による装置を示す。
【発明を実施するための形態】
【００７１】
以下、添付図面を参照して本発明の幾つかの規範的実施形態を詳細に説明する。規範的実施形態の特徴は、特に記述のない限り互いに自由に組み合わせることができる。しかしながら、幾つかの実施形態の説明は、一例として示すに過ぎないことを明確に理解すると共に、本発明をここに開示する詳細に限定するものと理解すべきではない。
【００７２】
更に、装置は、それに対応する方法を遂行するように構成されるが、あるケースでは、装置のみ又は方法のみが説明されることを理解されたい。
【００７３】
上述した長いＩ−ｅＤＲＸ周期及び最小のＵＥ電力消費でのＳＩ更新に対する提案された解決策に伴う問題を回避するため、本発明の幾つかの実施形態は、ＳＩ更新指示に対してページングが使用されるオプション３の手順に対する変更を提供する。
【００７４】
即ち、ＭＭＥは、ＳＩ変化について指示を行う場合もｅＤＲＸ  ＵＥのためのページング送信の役割を果たし、即ちｅＮＢは、各ＭＭＥから要求があったときｅＤＲＸ  ＵＥをページングする。
【００７５】
本発明の幾つかの実施形態による手順は、次の通りである。
−ｅＮＢは、ＳＩ更新のためのページング通知を送信し、そしてＳＩ変化（更新）のたびにｖａｌｕｅＴａｇを更新する。
−ＳＩが変化するたびに、ｅＮＢは、変化についてＭＭＥに通知する。
○ある実施形態では、ｅＮＢは、変化が生じたことだけをＭＭＥに通知する。
○ある実施形態では、ｅＮＢは、どのＳＩＢが変化したかＭＭＥに通知する。
○ある実施形態では、ｅＮＢは、多数のｖａｌｕｅＴａｇ（例えば、ＭＩＢに対するｖａｌｕｅＴａｇ、及びＳＩＢ又は多数のＳＩＢに対するｖａｌｕｅＴａｇ）がある場合にどのｖａｌｕｅＴａｇが変化したかＭＭＥに通知する。
○ネットワークに複数のＭＭＥがある場合は、ｅＮＢが全てのＭＭＥに通知するか、又はＭＭＥがｅＮＢにより現在サービスを受けているＵＥを管理するＭＭＥのみに通知する。
−ＭＭＥは、ｅＤＲＸにおいてＵＥを追跡し、そしてそれらの１つが到達可能になるたびに、ＭＭＥは、ＳＩが一度又は複数回変更された場合に、更新されたＳＩに関する指示と共にページを送信するようにｅＮＢに命令しなければならない。
○この手順は、ｖａｌｕｅＴａｇのラップアラウンドが生じても、ＳＩ変更の数に関わらず、同じとなる。
○ｅＮＢから受け取った情報からＭＭＥにおいて各情報が得られる場合に、ＳＩ更新指示は、複数のｖａｌｕｅＴａｇ（例えば、ＭＩＢ及びＳＩＢに対する）又は任意のＳＩ変化について別々に１つ以上の特定のＳＩＢを指す。
○変更されたＳＩＢがｅＤＲＸにおいてＵＥに影響を及ぼさないとＭＭＥが決定する場合には（例えば、ＵＥがマルチＲＡＴをサポートしない場合は、ＳＩＢ６、ＳＩＢ７又はＳＩＢ８の変化が無視され；ＵＥがＭＢＭＳをサポートしない場合には、ＳＩＢ１３及びＳＩＢ１５の変化が無視され、等々）、本発明の幾つかの実施形態において、ＭＭＥは、ＵＥをページングすることをｅＮＢに要求しない。一例として、ＵＥがスリープしていた間にＳＩが二度変化しそして第２の変化で第１の変化がキャンセルされる場合は、ＭＭＥは、ＵＥをページングすることをｅＮＢに要求しない。
−ｅＤＲＸスリープ周期の後にウェイクアップするＵＥは、ＵＥがスリープしていた間にＳＩ更新が生じた場合にはＳＩ更新についての指示を含めてページングされる（ｅＤＲＸスリープ時間の前に有効なＰＯ／ＰＦ計算のパラメータを使用するｅＤＲＸの特定手順に従って）。
○ある実施形態では、ＭＭＥは、使用されたｅＤＲＸサイクルの長さ（即ち、ＵＥがどれほど長くスリープしたか）をｅＮＢに指示し、そこから、ｅＮＢは、スリープ時間中にどのＳＩＢが変化したか決定することができる。
○変更されたＳＩＢがｅＤＲＸにおいてＵＥに影響を及ぼさないとｅＮＢが決定する場合には（例えば、上述した例を参照されたい）、ｅＮＢからＵＥへのＳＩ更新指示が省略されてもよい。一例として、ＵＥがスリープしていた間にＳＩが二度変化しそして第２の変化で第１の変化がキャンセルされる場合は、ｅＮＢは、ＳＩ更新指示でＵＥをページングしない。
−ページングメッセージにおいてＳＩ更新に関する指示を受け取るとき、ＵＥは、次のことを行う。
○全てのシステム情報又はそれに関連したシステム情報を読み取るか、又は
○ＳＩＢ１及びＳＩＢ２を読み取り、そしてｅＮＢが専用のシグナリングにより更新されたＳＩＢ（１つ又は複数）を送信するところのＲＲＣ接続を確立する。
○ページングメッセージにおけるＳＩ更新に関する指示は、どのＳＩＢが更新されたかの情報も含む。このケースでは、ＵＥは、更新されたＳＩＢ（及び必要に応じて更新されたＳＩＢの位置を識別するためにはＳＩＢ１も）しか読み取らない。
【００７６】
本発明のある実施形態では、ｅＮＢは、ｅＮＢとＭＭＥとの間のＳ１インターフェイスにＳＩ更新を指示する。ある実施形態では、ｅＮＢは、ｅＤＲＸにおいてＵＥに影響を及ぼす場合にはＳＩ変化だけを指示する。ＳＩ変化がＵＥに影響を及ぼすかどうか判断するためのある規範的な基準は、前記で指示された。情報は、１つ以上のビットを含む。
【００７７】
ＳＩ更新指示は、１つ以上の既存のＳ１メッセージ（例えば、‘eNB Configuration Update’メッセージ）、又はこの目的のために指定された新規メッセージにおいて送信される。ＳＩ更新指示は、変化したＳＩＢ（１つ又は複数）に関する暗示的又は明示的情報を含む。
【００７８】
本発明のある実施形態では、ＭＭＥからｅＮＢへのＳ１インターフェイス上のページング要求は、ＳＩ更新が遂行されたことを指示するＩＥを含み、従って、ＵＥによりＳＩ読み取りが行われねばならない。
【００７９】
ある実施形態では、ページング要求は、ＳＩの更新を指示し、従って、更新されたＳＩをＵＥに読み取らせるように特化されるが、更に、通常の接続設定を開始してもよい。即ち、通常の接続設定を開始するためのページングメッセージは、ＳＩの更新の指示を含む。即ち、ある実施形態では、通常の接続設定を開始するためのページングは、ターミナルがスリープの後に到達可能になるイベントとして考えられる。
【００８０】
ある実施形態では、ｅＮＢによるページング送信は、基本的に、上述した特徴の１つ以上を除いて、通常のケースと同じである。同様に、ある実施形態では、ＵＥの振舞いは、基本的に、長いｅＤＲＸ周期を除いて、従来型である。
【００８１】
本発明の幾つかの実施形態は、ＵＥが静止であるか、又は低移動性ＭＴＣ  ＵＥであるケースに特に適用できる。そのようなケースでは、ＭＭＥは、ＵＥがキャンピングしているセルにおいてＵＥを最初にページングすることができる。そのセルにおいて応答がない場合に、ＭＭＥは、多数のセル（例えば、追跡エリア）へページング要求を送信することによりページングのカバレージを拡張しなければならない。そのような進行型ページング送信は、低コスト／複雑性又はカバレージ改善型ＭＴＣ  ＵＥに対して合意されている。
【００８２】
図２は、本発明の規範的実施形態による装置を示す。この装置は、ＮｏｄｅＢ又はｅＮｏｄｅＢのようなベースステーションであるか又はその要素である。図３は、本発明の規範的実施形態による方法を示す。図２の装置は、図３の方法を遂行するが、この方法に限定されない。図３の方法は、図２の装置により遂行されるが、この装置による遂行に限定されない。
【００８３】
この装置は、第１の監視手段１０、通知手段２０、第２の監視手段３０及びページング手段４０を備えている。第１の監視手段１０、通知手段２０、第２の監視手段３０及びページング手段４０は、各々、第１の監視回路、通知回路、第２の監視回路及びページング回路である。
【００８４】
第１の監視手段１０は、セルのシステム情報が更新されるかどうか監視する（Ｓ１０）。
【００８５】
システム情報が更新される（Ｓ１０＝イエス）場合には、第１の通知手段２０がシステム情報の更新について管理エンティティ（例えば、ＭＭＥ）に通知する。
【００８６】
第２の監視手段３０は、ページングメッセージによりターミナルをページングする要求が受け取られるかどうか監視する（Ｓ３０）。ページングメッセージは、システム情報の更新に関する指示を含み、即ち要求は、ページングメッセージが更新に関する指示を含まねばならないことを指示する。
【００８７】
要求が受け取られた場合には（Ｓ３０＝イエス）、ページング手段４０は、ページングメッセージでターミナルをページングし（Ｓ４０）、即ちシステム情報の更新に関する指示を含むページングメッセージでターミナルをページングする。例えば、ページングは、更新されたＳＩのセル、又はセルを含むより大きなエリア（例えば、追跡エリア）において遂行される。
【００８８】
図４は、本発明の規範的実施形態による装置を示す。この装置は、ＭＭＥのような管理エンティティ又はその要素である。図５は、本発明の規範的実施形態による方法を示す。図４の装置は、図５の方法を遂行するが、この方法に限定されない。図５の方法は、図４の装置により遂行されるが、この装置により遂行されることに限定されない。
【００８９】
この装置は、監視手段１１０、第１のチェック手段１２０、第２のチェック手段１３０及び要求手段１４０を備えている。監視手段１１０、第１のチェック手段１２０、第２のチェック手段１３０及び要求手段１４０は、各々、監視回路、第１のチェック回路、第２のチェック回路及び要求回路である。
【００９０】
監視手段１１０は、第１セルのシステム情報の更新に関する情報が受信されるかどうか監視する（Ｓ１１０）。
【００９１】
第１のチェック手段１２０は、ターミナルが、第１セルによるサービスを受けるものとして登録されるか、又は第１セルを含むセルのグループのうちの少なくとも１つのセルによるサービスを受けるものとして登録されるかチェックする（Ｓ１２０）。セルのグループは、追跡エリアである。例えば、ターミナルは、第１セルにおいてＲＲＣ＿Ｃｏｎｎｅｃｔｅｄモード又はＲＲＣ＿ｉｄｌｅモードにある場合には、第１セルによるサービスを受けるものとして登録される。ターミナルは、管理エンティティにより知られたｅＤＲＸに対して構成されてもよい。カバレージの外部にあってもよい。ある実施形態では、第１のチェック手段は、ターミナルが第１セルにおいてＲＲＣ＿ｉｄｌｅモードにあるかどうかチェックする。
【００９２】
第２のチェック手段１３０は、ターミナルがスリープ後に到達可能になるかどうかチェックする（Ｓ１３０）。ターミナルが第１セルにおいてＲＲＣ＿ｉｄｌｅモードにあるかどうか第１のチェック手段がチェックする幾つかの実施形態では、第２のチェック手段１３０は、ターミナルが到達可能になるかどうかだけチェックする。
【００９３】
Ｓ１２０及びＳ１３０の順序は任意である。Ｓ１２０及びＳ１３０は、完全に又は部分的に同期して遂行されてもよい。ある実施形態では、Ｓ１３０は、Ｓ１２０が肯定であった場合だけ遂行される。ある実施形態では、Ｓ１２０は、Ｓ１３０が肯定であった場合だけ遂行される。ある実施形態では、Ｓ１２０及びＳ１３０は、常に遂行される。第１のチェック手段及び第２のチェック手段は、Ｓ１２０及びＳ１３０の両方を遂行する単一のチェック手段に一体化されてもよい。
【００９４】
更新に関する情報が受け取られ（Ｓ１１０＝イエス）、ターミナルが登録され（Ｓ１２０＝イエス）、及びターミナルが到達可能になる（Ｓ１３０＝イエス）場合には、要求手段１４０は、更新に関する指示を含むページングメッセージによりターミナルをページングすることを要求する（Ｓ１４０）。
【００９５】
図６は、本発明の規範的実施形態による装置を示す。この装置は、少なくとも１つのプロセッサ６１０、及びコンピュータプログラムコードを含む少なくとも１つのメモリ６２０を備え、少なくとも１つのプロセッサ６１０は、少なくとも１つのメモリ６２０及びコンピュータプログラムコードとで、装置が、少なくとも、図３及び５並びにその関連説明による方法の少なくとも１つを遂行するようにさせるよう構成される。
【００９６】
１つの情報断片が１つ又は複数のメッセージにおいてあるエンティティから別のエンティティへ送信される。これらメッセージの各々は、更に別の（異なる）情報断片を含んでもよい。
【００９７】
ネットワーク要素、プロトコル及び方法の名前は、現在の規格に基づく。他のバージョン又は他のテクノロジーでは、これらネットワーク要素及び／又はプロトコル及び／又は方法の名前は、それに対応する機能を発揮する限り、異なってもよい。
【００９８】
特に記述がなくても、又は文脈から明確でなくても、２つのエンティティが異なるという記述は、それらが異なる機能を遂行することを意味する。それらが異なるハードウェアに基づくことは必ずしも意味しない。即ち、ここでの説明に述べる各エンティティは、異なるハードウェアに基づくものでもよいし、或いはエンティティの幾つか又は全部が同じハードウェアに基づくものでもよい。それらが異なるソフトウェアに基づくものであることは必ずしも意味しない。即ち、ここでの説明に述べる各エンティティは、異なるソフトウェアに基づくものでもよいし、或いはエンティティの幾つか又は全部が同じソフトウェアに基づくものでもよい。
【００９９】
本発明の幾つかの規範的実施形態は、５Ｇネットワークに適用されてもよい。しかしながら、幾つかの規範的実施形態は、ある３ＧＰＰネットワーク（例えば、ＬＴＥ、ＬＴＥ−Ａ）のような単一周波数ネットワークを提供する他の無線アクセステクノロジーに適用されてもよい。又、本発明の幾つかの実施形態は、不連続受信を提供するワイヤードアクセステクノロジーに適用されてもよい。
【０１００】
ターミナルは、各ネットワークに取り付けできる任意の種類のターミナルでよい。例えば、ターミナルは、ＵＥ、マシンタイプの通信デバイス、ラップトップ、スマートフォン、移動電話、等である。
【０１０１】
従って、前記説明によれば、本発明の規範的実施形態は、例えば、ＭＭＥのような管理エンティティ又はそのコンポーネント、それを実施する装置、それを制御及び／又は動作する方法、それを制御及び／又は動作するコンピュータプログラム、並びにそのようなコンピュータプログラムを保持し且つコンピュータプログラム製品を形成する媒体を提供することが明らかであろう。従って、前記説明によれば、本発明の規範的実施形態は、例えば、ＮｏｄｅＢ又はｅＮｏｄｅＢのようなベースステーション又はそのコンポーネント、それを実施する装置、それを制御及び／又は動作する方法、それを制御及び／又は動作するコンピュータプログラム、並びにそのようなコンピュータプログラムを保持し且つコンピュータプログラム製品を形成する媒体を提供することが明らかであろう。
【０１０２】
前記ブロック、装置、システム、技術、手段、エンティティ、ユニット、デバイス又は方法の実施は、非限定例として、ハードウェア、ソフトウェア、ファームウェア、特殊目的回路又はロジック、汎用ハードウェア又はコントローラ、又は他のコンピューティング装置、バーチャルマシン、又はその組み合せを含む。
【０１０３】
実施形態の以上の説明は、単なる一例に過ぎず、且つ特許請求の範囲により規定された本発明の範囲から逸脱せずに種々の変更がなされ得ることに注意されたい。
【符号の説明】
【０１０４】
１０：第１の監視手段
２０：通知手段
３０：第２の監視手段
４０：ページング手段
１１０：監視手段
１２０：第１のチェック手段
１３０：第２のチェック手段
１４０：要求手段
６１０：少なくとも１つのプロセッサ
６２０：少なくとも１つのメモリ
【図１】
0006740348.tif 000002
【図２】
0006740348.tif 000003
【図３】
0006740348.tif 000004
【図４】
0006740348.tif 000005
【図５】
0006740348.tif 000006
【図６】
0006740348.tif 000007